(57)【要約】【課題】映像中のシーン参照用時刻を効率よく変更することを可能とする。【解決手段】複数フレーム画像取得部１１が映像中のシーン内容を参照するために予め記録されている時刻に対応する映像中のフレーム画像，および前記時刻から前後に予め決められた間隔だけ隔てた複数個の時刻に対応するフレーム画像を前記映像中から画像データとして取得し，複数フレーム画像表示部１２が複数フレーム画像取得部１１で取得された予め記録されている時刻に対応する映像中のフレーム画像，および前記時刻から前後に予め決められた間隔だけ隔てた複数個の時刻に対応するフレーム画像を表示する。時刻情報変更部１３は，この複数フレーム画像表示部１２で表示された複数のフレーム画像の中から指定されたフレーム画像に対応する時刻を，該シーン内容を参照するために記録していた時刻情報と置き換えて変更する。【選択図】図１
2005210252.tif 000002
【特許請求の範囲】
【請求項１】
映像中のシーン内容を参照するために予め記録されている映像中の任意の時刻情報を，コンピュータのユーザインタフェースにより変更する方法であって，
前記時刻に対応する映像中のフレーム画像，および前記時刻から前後に予め決められた間隔だけ隔てた複数個の時刻に対応するフレーム画像を前記映像中から画像データとして取得する複数フレーム画像取得段階と，
前記複数フレーム画像取得段階で取得された前記予め記録されている時刻に対応する映像中のフレーム画像，および前記時刻から前後に予め決められた間隔だけ隔てた複数個の時刻に対応するフレーム画像を，ユーザインタフェース画面に表示する複数フレーム画像表示段階と，
前記複数フレーム画像表示段階で表示された複数のフレーム画像の中から指定されたフレーム画像に対応する時刻を，該シーン内容を参照するために記録していた時刻情報と置き換えて変更する時刻情報変更段階とを有する
ことを特徴とする映像中のシーン参照用時刻変更方法。
【請求項２】
請求項１記載の映像中のシーン参照用時刻変更方法において，
前記複数フレーム画像表示段階は，
表示対象の映像中の複数のフレーム画像の時間的な間隔値を指定する時間間隔値指定段階と，
前記予め記録されている時刻に対応する映像中のフレーム画像，および前記予め記録されている時刻から前後に前記時間間隔値指定段階で指定された間隔値だけ隔てた複数個の時刻に対応するフレーム画像を表示する段階とを有する
ことを特徴とする映像中のシーン参照用時刻変更方法。
【請求項３】
映像中のシーン内容を参照するために予め記録されている映像中の任意の時刻情報を，コンピュータのユーザインタフェースにより変更する装置であって，
前記時刻に対応する映像中のフレーム画像，および前記時刻から前後に予め決められた間隔だけ隔てた複数個の時刻に対応するフレーム画像を前記映像中から画像データとして取得する複数フレーム画像取得手段と，
前記複数フレーム画像取得手段で取得された前記予め記録されている時刻に対応する映像中のフレーム画像，および前記時刻から前後に予め決められた間隔だけ隔てた複数個の時刻に対応するフレーム画像を，ユーザインタフェース画面に表示する複数フレーム画像表示手段と，
前記複数フレーム画像表示手段で表示された複数のフレーム画像の中から指定されたフレーム画像に対応する時刻を該シーン内容を参照するために記録していた時刻情報と置き換えて変更する時刻情報変更手段と，
前記複数フレーム画像取得手段，前記複数フレーム画像表示手段，および前記時刻情報変更手段を制御する処理制御手段と，
映像データ，フレーム画像データ，および映像中のシーン参照用の時刻情報を蓄積するデータ蓄積手段とを備える
ことを特徴とする映像中のシーン参照用時刻変更装置。
【請求項４】
請求項３記載の映像中のシーン参照用時刻変更装置において，
前記複数フレーム画像表示手段は，
表示対象の映像中の複数のフレーム画像の時間的な間隔値を指定する時間間隔値指定手段と，
前記予め記録されている時刻に対応する映像中のフレーム画像，および前記予め記録されている時刻から前後に前記時間間隔値指定手段で指定された間隔値だけ隔てた複数個の時刻に対応するフレーム画像を表示する手段とを備える
ことを特徴とする映像中のシーン参照用時刻変更装置。
【請求項５】
請求項３または請求項４に記載の映像中のシーン参照用時刻変更装置において，
前記データ蓄積手段が，映像データ蓄積用コンピュータに設けられ，
前記複数フレーム画像取得手段，前記複数フレーム画像表示手段，前記時刻情報変更手段，および前記処理制御手段が，前記映像データ蓄積用コンピュータにネットワークを介して接続される映像編集用コンピュータに設けられた
ことを特徴とする映像中のシーン参照用時刻変更装置。
【請求項６】
請求項１または請求項２に記載の映像中のシーン参照用時刻変更方法をコンピュータに実行させるための映像中のシーン参照用時刻変更プログラム。
【請求項７】
請求項１または請求項２に記載の映像中のシーン参照用時刻変更方法をコンピュータに実行させるための映像中のシーン参照用時刻変更プログラムを記録したコンピュータ読み取り可能な記録媒体。
【発明の詳細な説明】
【技術分野】
【０００１】
本発明は，映像中に存在する複数のシーン区間のうち，任意のシーン区間の開始時間，あるいは終了時間を変更する映像編集技術，およびユーザインタフェース技術に関するものである。
【背景技術】
【０００２】
近年，映像データのディジタル化技術の進歩により，映像データに対して，複数のシーン区間を定義したり，一度定義したシーン区間の開始時刻，終了時刻といった映像中のシーン内容を参照するための時刻を変更したりする作業は，ノンリニア映像編集機で容易に行えるようになった。ノンリニア編集機は，具体的にはコンピュータと映像編集機能を備えたソフトウェアで構成される。従来の代表的なノンリニア編集機としては米国Ａｖｉｄ社の「Media Composer」や米国Ａｄｏｂｅ社の「Premiere」がある。
【０００３】
これらのノンリニア編集機における映像中のシーン内容を参照するために予め記録された時刻情報を変更する操作の例として，前記の映像中のシーン区間の開始時刻を変更する操作がある。従来の映像中のシーン区間の開始時刻を変更する操作では，最初に変更対象のシーン区間の開始時刻に対応するフレーム画像を映像プレーヤー画面等のユーザインタフェース上に表示する。これに対し，ユーザは映像プレーヤーの早送り，巻き戻し，コマ送り，コマ戻し等の再生制御機能を利用し，映像プレーヤー上の画像内容を時間的に粗い粒度からフレーム単位の細かい粒度まで自由に変更し，該シーンの開始画像として変更させたい画像内容に合せたら，その時刻を該シーン区間の開始時刻として変更する操作を行う。
【０００４】
図７は，従来の映像中のシーン参照用時刻変更技術を説明するための，従来の技術によるユーザインタフェース画面の一例を示した図である。図７において，２０は映像の再生を行う再生モニタ，２１は再生モニタ２０上に表示される映像である。また，２２は再生，早送り，巻き戻し，コマ送り，コマ戻し，といった映像プレーヤーの機能を利用するための操作ボタンである。
【０００５】
従来技術では，再生モニタ２０上で時刻Ｔの映像２１（フレーム画像Ｆ（Ｔ））を表示し，次にユーザは，変更したいシーンの参照用時刻に対応するフレーム画像の内容を確認するために，再生，早送り，巻き戻し，コマ送り，コマ戻し，といった操作ボタン２２を操作し，再生モニタ２０上に表示される映像２１の内容を変更する。変更したいシーンのフレーム画像が表示されたなら，そのシーンの参照用時刻の変更操作を行う。
【０００６】
このように，従来の技術では，映像中のシーン内容を参照するために予め取得されている時刻情報を変更するために，映像編集機の機能である映像プレーヤー等の再生，早送り，巻き戻し，コマ送り，コマ戻しといったユーザインタフェースを利用し，映像中の確認したいシーンを自由に指定して，指定した時刻の映像内容を目視で確認しながら行う。映像プレーヤー上での映像時刻の指定操作は，マウス，キーボードといったコンピュータ用の情報入力デバイスや，あるいは，ビデオデッキ特有の再生制御ボタン，および特にフレーム単位でコマ送り，巻き戻し時にはジョグシャトルが利用されている。
【０００７】
なお，映像中からシーンの切り替わりの時刻情報を自動的に検出し記録する方式について，下記の特許文献１に記載されている。
【特許文献１】特許第２８３９１３２号明細書
【発明の開示】
【発明が解決しようとする課題】
【０００８】
しかしながら，前記従来の技術では，映像中のシーン内容を参照するために予め取得されている時刻情報を変更する作業を行う際に，映像プレーヤー等の動画像の表示インタフェースを利用するため，ユーザ画面上では，一度に一つのフレーム画像しか目視で確認できなかった。このため，変更したい時刻に対応するフレーム画像を探すのに時間がかかってしまい，編集作業の効率が悪くなってしまうという問題点があった。
【０００９】
例えば，映像中のシーン参照用のある時刻を，実際には該時刻よりも以前の時刻に設定したい場合に，最初の操作で再生操作を行い，以後のフレーム画像を参照していくと，ある程度再生させた後，再度，該時刻からフレーム画像表示を遡らせていって確認するという操作の手戻りが発生する。
【００１０】
また，映像中のシーン参照用のある時刻を，実際には該時刻よりも例えば１分後の時刻に変更したい場合でも，最初の操作で１フレームずつのコマ送りを行いながら，フレーム画像を確認していくと，１フレームのコマ送りと画像確認に１秒かかるとすると，３０分もかかってしまうことになり，やはり編集作業の効率が悪くなってしまう。
【００１１】
また，近年，インターネットの普及により，ネットワーク越しに様々なデータの流通，交換が行われるようになってきており，映像編集の作業においても，映像編集機と実際の編集対象の映像データがネットワーク的に遠隔に存在する場合がでてきている。例えば，映像データは，その映像を撮影した会社のコンピュータ上に映像ファイルとして存在し，それを編集する編集機は，撮影会社とはネットワーク的には遠隔に存在する別の映像編集専門の会社のコンピュータであるような場合がある。このような場合，ネットワーク越しに編集対象の映像データにアクセスして，映像編集作業を行う必要がある。
【００１２】
一方，一般にネットワーク越しに映像データにアクセスして再生等の操作をする際には，ストリーミング技術が使われている。ストリーミング技術は，遠隔地にある映像データでも一旦データ全体をダウンロードすることなく，適切なデータ量だけダウンロードし，ユーザ操作に対してなるべく遅延なく，映像を滑らかに再生させるための技術である。ただし，ユーザ操作に対しての遅延時間はその原理上少なからず必ず発生し，ネットワークの状況次第で，短ければ数秒程度の場合もあるが，長ければ数分にも及び，長すぎると許容待ち時間をオーバーし，再生できない場合もある。
【００１３】
ストリーミング技術を利用してネットワーク越しに映像データにアクセスし，映像編集を行う場合には，前記従来の技術で述べたような映像プレーヤー上の画像を自由に変更する操作の操作性が悪くなり，編集作業全体の効率を悪くしてしまうという問題点がある。具体的には，例えば変更したシーン区間の開始時刻を変更する場合に，前記従来の技術を使うと，ユーザとしては開始時間から映像の頭出し再生を始めて，途中でコマ送り等の操作をしながら，目視で画像内容を確認しつつ，シーン区間の開始時刻として相応しい時刻を探すという作業をする訳であるが，映像の再生やコマ送りの指示を出した後，前述のようにネットワークの状況次第で，数秒から数分待たされることがあり，場合によっては再生されないという事態に陥ってしまう。
【００１４】
従来の技術は，編集対象の映像データは，映像編集機から遠隔に存在するのではなく，映像編集機上のハードディスクに存在するディジタルデータとして存在するなど，映像編集機からすぐにアクセスできる状態であることが前提とされた方式であったため，映像プレーヤーを使った編集が効果的であった。しかしながら，映像データにネットワーク越しにアクセスする場合には，前述のような問題点が発生するため，例えば，コマ送りのような瞬時にフレーム単位で映像プレーヤー上の画像内容を変更したい場合でも，ユーザは少なくとも数秒以上は待たされてしまい，編集作業の効率が悪くなってしまうため，この問題を解決する必要がある。
【００１５】
図７に示した従来技術の例では，映像データが遠隔地に存在する場合，映像プレーヤーで再生ボタンやコマ送りボタンを１回でも押すごとに数秒〜数分の待ち時間が発生する。このため，例えば，４秒後のフレーム画像を表示したい場合に，３秒くらい再生して，残り１秒はコマ送りで調整するような操作をしても数分以上の時間がかかってしまい，作業効率が非常に悪い。
【００１６】
本発明は，以上の点を考慮してなされたもので，映像中のシーン内容を参照するために既に記録されている時刻情報を変更する映像編集作業を行うような場合に，一度に一フレーム画像しか確認できないことから編集作業の作業効率が低下してしまう問題点を解決すること，および，ネットワーク越しに映像データにアクセスして，映像中のシーン内容を参照するために既に記録されている時刻情報を変更する映像編集作業を行うような場合であっても，編集操作を行う際にユーザが待たされることなく，作業を効率的に実行できるようにすることを目的とする。
【課題を解決するための手段】
【００１７】
前記課題を解決するために，第１の発明の映像中のシーン参照用時刻変更方法は，映像中のシーン内容を参照するために予め記録されている時刻に対応する映像中のフレーム画像，および前記時刻から前後に予め決められた間隔だけ隔てた複数個の時刻に対応するフレーム画像を前記映像中から画像データとして取得する複数フレーム画像取得段階と，前記複数フレーム画像取得段階で取得された前記予め記録されている時刻に対応する映像中のフレーム画像，および前記時刻から前後に予め決められた間隔だけ隔てた複数個の時刻に対応するフレーム画像を表示する複数フレーム画像表示段階と，前記複数フレーム画像表示段階で表示された複数のフレーム画像の中から指定されたフレーム画像に対応する時刻を該シーン内容を参照するために記録していた時刻情報と置き換えて変更する時刻情報変更段階とを有することを特徴とする。
【００１８】
また，前記課題を解決するために，第２の発明の映像中のシーン参照用時刻変更方法は，前記複数フレーム画像表示段階が，表示対象の映像中の複数のフレーム画像の時間的な間隔値を指定する時間間隔値指定段階と，前記予め記録されている時刻に対応する映像中のフレーム画像，および前記予め記録されている時刻から前後に前記時間間隔値指定段階で指定された間隔値だけ隔てた複数個の時刻に対応するフレーム画像を表示する段階とを有することを特徴とする。
【００１９】
また，前記課題を解決するために，第３の発明の映像中のシーン参照用時刻変更装置は，映像中のシーン内容を参照するために予め記録されている時刻に対応する映像中のフレーム画像，および前記時刻から前後に予め決められた間隔だけ隔てた複数個の時刻に対応するフレーム画像を前記映像中から画像データとして取得する複数フレーム画像取得手段と，前記複数フレーム画像取得手段で取得された前記予め記録されている時刻に対応する映像中のフレーム画像，および前記時刻から前後に予め決められた間隔だけ隔てた複数個の時刻に対応するフレーム画像を表示する複数フレーム画像表示手段と，前記複数フレーム画像表示手段で表示された複数のフレーム画像の中から指定されたフレーム画像に対応する時刻を該シーン内容を参照するために記録していた時刻情報と置き換えて変更する時刻情報変更手段と，前記複数フレーム画像取得手段，前記複数フレーム画像表示手段，および時刻情報変更手段を制御する処理制御手段と，映像データ，フレーム画像データ，および映像中のシーン参照用の時刻情報を蓄積するデータ蓄積手段とを備えることを特徴とする。
【００２０】
前記課題を解決するために，第４の発明の映像中のシーン参照用時刻変更装置は，前記複数フレーム画像表示手段が，表示対象の映像中の複数のフレーム画像の時間的な間隔値を指定する時間間隔値指定手段と，前記予め記録されている時刻に対応する映像中のフレーム画像，および前記予め記録されている時刻から前後に前記時間間隔値指定手段で指定された間隔値だけ隔てた複数個の時刻に対応するフレーム画像を表示する手段とを備えることを特徴とする。
【００２１】
また，前記課題を解決するために，第５の発明の映像中のシーン参照用時刻変更方法を実現するプログラムは，第１または第２の発明の映像中のシーン参照用時刻変更方法における各段階をコンピュータに実行させるためのプログラムとして構成したことを特徴とする。
【００２２】
また，前記課題を解決するために，第６の発明の映像中のシーン参照用時刻変更方法を実現するプログラムを記録した記録媒体は，第１または第２の発明の映像中のシーン参照用時刻変更方法における各段階をコンピュータに実行させるためのプログラムを，該コンピュータが読み取り可能な記録媒体に記録したことを特徴とする。
【００２３】
本発明の作用は，以下のとおりである。本発明では，映像中のシーン内容を参照するための時刻を変更する際に，該時刻，およびそれと近傍の時刻に対応する映像中の複数のフレーム画像をユーザ画面に表示し，ユーザはユーザ画面上に並んだ複数のフレーム画像の中から，参照用の画像として変更させたい画像内容を選択するだけの操作で，シーン内容を参照するための時刻を変更する作業が可能となる。
【００２４】
すなわち，本発明によれば，映像中の変更対象の時刻に対応するフレーム画像，および，該フレーム画像を中心に時間的に前後の複数の近傍時刻の画像も合わせて，一度に確認できる。さらには，前記時間的に前後の複数の近傍時刻の時間幅を任意の値に設定でき，近傍範囲の粒度の変更が可能であるため，数秒の範囲での前後のフレーム画像，あるいは数分の範囲での前後のフレーム画像でも少ない操作時間で確認できる。これにより，操作の手戻りも最小限にとどめ，編集に要する操作時間を従来よりも短縮させることが可能となる。
【００２５】
また，本発明によれば，ネットワーク的に遠隔地に存在する映像データに対しての編集作業であっても，ユーザは決められた数の静止画像データを一度ダウンロードするだけで，変更対象の参照用時刻付近の画像内容をすぐに知ることができる。静止画像データのダウンロード容量は，従来技術における映像データのストリーミングによるダウンロード量の数十分の一以下の少量であるため，ユーザは待ち時間なく効率的に作業を進めることが可能となる。
【００２６】
ネットワークのトラフィック状況にも依存するが，例えば，従来技術の場合，映像プレーヤーでの再生，コマ送り等の一回の操作を行うたびに５秒の待ち時間が発生すると仮定する。この場合，コマ送りで１０コマ先に進ませるのに５０秒（＝５秒×１０コマ）もかかってしまう。これに対し，本発明によれば，１０コマ先のフレーム画像を１回ダウンロードし，表示させればよいだけであり，データ量としては従来技術の数十分の一でよいため，１秒未満の待ち時間で１０コマ先の画像が参照でき，作業時間の短縮が可能となり，従来技術の解決すべき課題が解決できる。
【発明の効果】
【００２７】
本発明は映像中のシーン参照用の時刻情報を変更する際に，映像データに対して直接再生，早送り，コマ送り等の操作を行うのではなく，変更対象時刻の近傍の時刻に対応する複数のフレーム画像を表示するものであり，これにより，映像中の確認したいフレーム画像を，従来技術よりも少ない操作数，作業時間で確認できるようになる。さらには，映像編集機と映像データとがネットワーク的に遠隔に存在しても，従来技術に比ベ，極めて短時間に効率的に映像中のシーン参照用の時刻情報を変更することが可能となり，結果として，従来の技術よりも映像編集の作業時間を短縮化できるという効果をもたらす。
【発明を実施するための最良の形態】
【００２８】
以下，本発明の実施の形態について，図面を参照しながら説明する。図１は，本発明の映像中のシーン参照用時刻変更装置の構成の一例を示す図である。図１において，１はＣＰＵおよびメモリなどからなる映像中のシーン参照用時刻変更装置である。映像中のシーン参照用時刻変更装置１内において，１１は複数フレーム画像取得部，１２は複数フレーム画像表示部，１３は時刻情報変更部，１４は処理制御部，１５はデータ蓄積部である。また，複数フレーム画像表示部１２内において，１２１は時間間隔値指定手段である。
【００２９】
複数フレーム画像取得部１１は，データ蓄積部１５に格納される映像データ中から予め決められた方法で指定された時刻のフレーム画像，および前記時刻から前後に予め決められた間隔だけ隔てた複数個の時刻に対応するフレーム画像を，前記映像中から画像データとして取得するものである。この複数フレーム画像取得部１１は，具体的には，パソコンのメモリ上に展開されるソフトウェアプログラムによって実現可能である。例えば，ＭＰＥＧ形式の動画像から指定した時刻に対応するフレーム画像を取得するソフトウェアプログラムとしてＫＤＤＩ研究所のMP-Factoryという製品がある。
【００３０】
複数フレーム画像表示部１２は，データ蓄積部１５に格納される前記複数フレーム画像取得部１１で取得された複数のフレーム画像の静止画データを，予め決められた表示レイアウトでユーザ画面に表示するものである。この複数フレーム画像表示部１２は，予め記録されている時刻に対応する映像中のフレーム画像，および前記予め記録されている時刻から前後に時間間隔値指定手段１２１で指定される間隔値だけ隔てた複数個の時刻に対応するフレーム画像を表示することもできる。
【００３１】
複数フレーム画像表示部１２は，具体的には，パソコンのメモリ上に展開されるソフトウェアプログラムによって実現可能である。例えば，後述する図３や図５で示すグラフィカルユーザインタフェース（ＧＵＩ）を備えたソフトウェアとして実現可能である。
【００３２】
時刻情報変更部１３は，前記複数フレーム画像表示部１２で表示された複数のフレーム画像の中からユーザが指定したフレーム画像に対応する時刻を該シーン内容を参照するために記録していた時刻情報と置き換えて変更するものである。また，処理制御部１４は，前記複数フレーム画像取得部１１，前記複数フレーム画像表示部１２，および時刻情報変更部１３を制御するものである。データ蓄積部１５は，映像データ，フレーム画像データ，および映像中のシーン参照用の時刻情報を蓄積するものであり，具体的にはコンピュータ上のハードディスク等のデータ蓄積媒体により実現可能である。
【００３３】
また，複数フレーム画像表示部１２における時間間隔値指定手段１２１は，表示対象の映像中の複数のフレーム画像の時間的な間隔値を指定する手段である。
【００３４】
図２は，本発明の第１の実施の形態に係る映像中のシーン参照用時刻変更処理フローの一例を示す。まず，複数フレーム画像取得段階Ｓ１では，映像中のシーン内容を参照するために予め記録されている複数の時刻情報の中から，ユーザが選択した任意の時刻，およびその時刻から前後に予め決められた間隔だけ隔てた複数個の時刻に対応するフレーム画像を映像中から画像データとして取得する。これは，具体的には映像データと取得したい画像データに対応する映像中の時刻情報を入力すると取得したい画像データを出力するコンピュータ上のソフトウェアを用いることで実現可能である。
【００３５】
また，本発明の前提である映像中のシーン内容を参照するために予め記録しておく時刻情報については，例えば，特許文献１（映像カット点検出方法及び装置）に記載された，映像中からシーンの切り替わりの時刻情報を自動的に検出し記録する方式を適用することで取得できる。あるいは自動的にではなく，ユーザが映像プレーヤー上で映像データを目視で参照しながら，再度参照したいシーンの時刻をマニュアル操作で記録しておくことで取得しておくということでもよい。
【００３６】
また，本段階で取得される複数のフレーム画像データをコンピュータ上のハードディスクに保存するような場合には，該複数のフレーム画像データが不要なときにこれらの画像をデータとしてハードディスク上に保存するのではなく，ユーザからの指示があったときにだけ必要な分の画像データを取得し，ハードディスク上に保存するようにすれば，ハードディスクの使用量の節約も可能となる。
【００３７】
次に，複数フレーム画像表示段階Ｓ２では，複数フレーム画像取得段階Ｓ１で取得された映像中のシーン内容を参照するために予め記録されている複数の時刻情報の中から，ユーザが選択した時刻，およびその時刻から前後に予め決められた間隔だけ隔てた複数個の時刻に対応するフレーム画像を表示する。
【００３８】
複数フレーム画像表示段階Ｓ２における具体的な表示例を，図３に示す。図３は，本発明によるユーザインタフェース画面の一例を示したものであり，１０１〜１０７の複数の画像表示のうち，１０４は既に記録されているシーン参照用の時刻Ｔに対応するフレーム画像Ｆ（Ｔ）を表示したものである。１０１〜１０３は，時刻Ｔよりも前に２秒ずつ等間隔に存在するフレーム画像Ｆ（Ｔ−６秒），Ｆ（Ｔ−４秒），Ｆ（Ｔ−２秒）であり，１０５〜１０７は，時刻Ｔよりも後に２秒ずつ等間隔に存在するフレーム画像Ｆ（Ｔ＋２秒），Ｆ（Ｔ＋４秒），Ｆ（Ｔ＋６秒）を表示したものである。
【００３９】
なお，フレーム画像Ｆ（Ｔ）１０４は，従来の映像中のシーン参照用時刻変更技術を示す図７中の映像２１の表示画像と同じ画像である。
【００４０】
例えば，ユーザが図３中のフレーム画像Ｆ（Ｔ）１０４に表示されている「熊本城のシーン」を参照するために映像中の時刻Ｔを記録していたが，記録していた時刻をＴ以外の別の時刻に設定したい場合を想定し，以下ではこの想定のもとに，従来技術と比較しながら本発明の実施の形態を説明する。
【００４１】
従来技術では，図７で説明したように，映像プレーヤーで再生ボタンやコマ送りボタン等を操作して，変更したい時刻に対応するフレーム画像を表示させ，その内容を確認していたため，画像の表示およびその確認に非常に時間がかかり，作業効率が悪かったのに対し，本発明の実施の形態では，図３に示したように，フレーム画像Ｆ（Ｔ）１０４を中心としてＦ（Ｔ−６秒）１０１〜Ｆ（Ｔ＋６秒）１０７までの静止画像を表示することで，瞬時にフレーム画像Ｆ（Ｔ）１０４の前後の画像内容を把握することができるようにする。これにより，従来技術では，数分以上かかっていたフレーム画像Ｆ（Ｔ）１０４から４秒後の画像を参照することも瞬時に行うことができるようになる。
【００４２】
変更したい時刻に対応するフレーム画像が確認できたら，時刻情報変更段階Ｓ３において，前記複数フレーム画像表示段階Ｓ２で表示された複数のフレーム画像の中からユーザが指定したフレーム画像に対応する時刻を，該シーン内容を参照するために記録していた時刻情報と置き換えて変更する。
【００４３】
図３において，１０８はフレーム画像Ｆ（Ｔ）１０４に対応する変更前の時刻が表示されている時刻表示領域であり，１０９は時刻表示領域１０８に表示されている時刻を変更する変更ボタンである。図３の例では，時刻表示領域１０８には，このシーン内容を参照するための時刻情報として，「００：０３：４８：２８」が表示されている。
【００４４】
本シーンの開始時刻を示す時刻表示領域１０８に表示されている時刻を，フレーム画像Ｆ（Ｔ＋４秒）１０６に対応する時刻に変更する場合，フレーム画像Ｆ（Ｔ＋４秒）１０６のフレーム画像をマウス等のポインティングデバイスで選択し，変更ボタン１０９を押下げる。こうすることで，時刻表示領域１０８に表示された時刻が，フレーム画像Ｆ（Ｔ＋４秒）１０６に対応する時刻に置き換わり変更される。このことから，本発明によれば，従来技術よりも短時間に効率的に映像シーンの参照用時刻の変更操作を行うことが可能になる。
【００４５】
図４は，本発明の第２の実施の形態に係る映像中のシーン参照用時刻変更処理フローの一例を示す図であり，図５は，本発明の第２の実施の形態に係る映像中のシーン参照用時刻変更処理フローの中で利用するユーザインタフェース画面の一例を示す図である。
【００４６】
図４中の複数フレーム画像取得段階Ｓ１１，時刻情報変更段階Ｓ１４は，それぞれ図２に示す本発明の第１の実施の形態に係る映像中のシーン参照用時刻変更処理フローで説明した複数フレーム画像取得段階Ｓ１，時刻情報変更段階Ｓ３と同様である。
【００４７】
図４中の時間間隔値指定段階Ｓ１２では，表示対象の映像中の複数のフレーム画像の時間的な間隔値を，ユーザの入力によって指定する。具体的には，図５の１２０に示すような数値を入力することが可能なテキスト入力ボックスを備えるユーザインタフェースを利用することで実現できる。図５では，テキスト入力ボックス１２０においてフレーム画像間の時間間隔として「４秒」が設定された例を示している。なお，図５において，１１８はフレーム画像Ｆ（Ｔ）１１４に対応する時刻が表示されている時刻表示領域であり，１１９は時刻表示領域１０８に表示されている時刻を変更する変更ボタンである。
【００４８】
複数フレーム画像表示段階Ｓ１３は，前記時間間隔値指定段階Ｓ１２で指定された間隔値だけ隔てた複数個の時刻に対応するフレーム画像を表示するステップであり，図５の１１１〜１１７に具体的なユーザインタフェース画面を示す。
【００４９】
例えば図５の１１１〜１１７の画像は，映像中の時間的に「熊本城のシーン」付近のフレーム画像を４秒間隔で表示したものである。すなわち，図５に示すユーザインタフェース画面には，既存の参照用時刻Ｔに対応するフレーム画像Ｆ（Ｔ）１１４と，時刻Ｔよりも前に４秒ずつ等間隔に存在するフレーム画像Ｆ（Ｔ−１２秒）１１１，Ｆ（Ｔ−８秒）１１２，Ｆ（Ｔ−４秒）１１３と，時刻Ｔよりも後に４秒ずつ等間隔に存在するフレーム画像Ｆ（Ｔ＋４秒）１１５，Ｆ（Ｔ＋８秒）１１６，Ｆ（Ｔ＋１２秒）１１７が表示されている。
【００５０】
前記時間間隔値指定段階Ｓ１２と前記複数フレーム画像表示段階Ｓ１３により，表示する複数のフレーム画像の時間間隔をユーザが自由に設定することが可能となる。テキスト入力ボックス１２０に入力する時間間隔を短くすることで，時間的に密集した範囲の画像を一覧することができ，逆に時間間隔を長くすることで時間的に広い範囲の画像を一覧することができる。これはすなわち，従来技術における映像プレーヤーのコマ送り，早送りで得られる画像情報とほぼ同等の情報を瞬時にユーザに提供することができる，ということである。前記時間間隔値指定段階Ｓ１２がない場合には，ユーザは予め決められた間隔値でしかフレーム画像を参照できない。
【００５１】
編集作業によっては，時間的に細かい範囲の画像内容も参照したい場合もあれば，広い範囲の画像内容を参照したい場合もありうる。このことから，本発明の実施の形態によれば，ユーザインタフェース画面上に表示する複数のフレーム画像の時間間隔を変更することで，確認したいフレーム画像を短時間に効率的に把握することが可能となり，編集作業時間を短縮化することが可能となる。
【００５２】
図６は，本発明の第３の実施の形態を示す図である。図６に示す本発明の第３の実施の形態では，映像編集用コンピュータ３１と映像データ蓄積用コンピュータ３３とがネットワーク的に遠隔に存在し，インターネット３２で接続される構成を採る。すなわち，本発明の第３の実施の形態は，図１に示す映像中のシーン参照用時刻変更装置１のうち，データ蓄積部１５を映像データ蓄積用コンピュータ３３に実装し，それ以外の処理部を映像編集用コンピュータ３２に実装する構成を採用している。
【００５３】
本発明によれば，図６のように映像編集用コンピュータ３１と映像データ蓄積用コンピュータ３３がネットワーク的に遠隔にあっても，映像データ蓄積用コンピュータ３３上に蓄積される映像編集用に適した静止画データをダウンロードし，映像編集用コンピュータ３１に表示することで，従来技術のようにユーザに待ち時間を与えることなく，映像編集作業を効率的に実行することが可能である。
【００５４】
以上説明した本発明の第１〜第３の実施の形態による映像中のシーン参照用時刻変更装置は，コンピュータとソフトウェアプログラムとによって実現することができ，そのプログラムをコンピュータ読み取り可能な記録媒体に記録して提供することも，ネットワークを通して提供することも可能である。
【図面の簡単な説明】
【００５５】
【図１】映像中のシーン参照用時刻変更装置の構成の一例を示す図である。
【図２】映像中のシーン参照用時刻変更処理フローの一例を示す図である。
【図３】ユーザインタフェース画面の一例を示す図である。
【図４】映像中のシーン参照用時刻変更処理フローの一例を示す図である。
【図５】ユーザインタフェース画面の一例を示す図である。
【図６】本発明の第３の実施の形態を示す図である。
【図７】従来の技術によるユーザインタフェース画面の一例を示す図である。
【符号の説明】
【００５６】
１    映像中のシーン参照用時刻変更装置
１１  複数フレーム画像取得部
１２  複数フレーム画像表示部
１３  時刻情報変更部
１４  処理制御部
１５  データ蓄積部
２０  再生モニタ
２１  映像
２２  操作ボタン
３１  映像編集用コンピュータ
３２  インターネット
３３  映像データ蓄積用コンピュータ
１０１〜１０７，１１１〜１１７  フレーム画像
１０８，１１８  時刻表示領域
１０９，１１９  変更ボタン
１２０  テキスト入力ボックス
１２１  時間間隔値指定手段
【図１】
2005210252.tif 000003
【図２】
2005210252.tif 000004
【図３】
2005210252.tif 000005
【図４】
2005210252.tif 000006
【図５】
2005210252.tif 000007
【図６】
2005210252.tif 000008
【図７】
2005210252.tif 000009